(57)【要約】【課題】処理槽内に生ゴミを分解処理するバイオチップを収容し消滅処理する底部開放型で屋外設置式の生ゴミ処理機で、処理槽を直接的に加熱して早期に活性温度へ昇温できて外気温度の季節変動があっても一定の処理能力を維持できるようにする。【解決手段】攪拌羽根４を備えバイオチップＢを収容する処理槽３の底面に底部開口３１ａを設け、ケーシング２底面の開口を通して土と接触するように設置してなり、処理槽３に加熱手段６を設置する。加熱手段６は、ドラム部３１の底面に形成した底部開口３１ａの間の外面に設けた底部ヒーター６１と、底部開口３１ａより前後の円筒外面に略半分の高さまで設けた前部ヒーター６２および後部ヒーター６３と、ドラム部３１の両側面のフランジ板３１ｂ，３１ｃの略半分の高さまで設けた左右側面ヒーター６４，６５とを備える。外気温度が低い場合にバイオチップＢの活性温度に達するまで各ヒーター６１〜６５によって処理槽３を加熱する。【選択図】　　　　　図４
2004033849.tif 000002
【特許請求の範囲】
【請求項１】
バイオチップを収容する処理槽をケーシング内に備え、該処理槽の底面には底部開口が設けられ、ケーシングの底面に形成された開口を通してバイオチップが土と接触するように設置してなり、投入された生ゴミを分解消滅させる生ゴミ処理機において、
前記処理槽の横置き円筒状のドラム部に加熱手段を設置してなり、該加熱手段は、ドラム部の底面の両端部側に形成した前記底部開口の間の外面に設けた底部ヒーターと、前記底部開口より前後の円筒外面にドラム部の略半分の高さまで幅全体に設けた前部ヒーターおよび後部ヒーターと、ドラム部の両側面のフランジ板の略半分の高さまで設けた左右側面ヒーターとを備え、前記バイオチップの活性温度に達するまで前記各ヒーターによってドラム部を加熱することを特徴とする生ゴミ処理機。
【発明の詳細な説明】
【０００１】
【発明の属する技術分野】
本発明は、飲食店の厨房等から出る生ゴミを微生物を含むバイオチップを使用して消滅処理する生ゴミ処理機に関し、特に、活性温度への加熱手段に関するものである。
【０００２】
【従来の技術】
従来より、微生物による生ゴミの分解作用を利用した消滅型の生ゴミ処理機が知られている。この生ゴミ処理機は処理槽（貯留ドラム）に予めバイオチップ（処理材として、例えば杉チップに分解作用を有する土壌細菌等の微生物を付着培養させたもの）が所定量収容されており、この処理槽に生ゴミが投入されると、微生物の分解作用を促進するために、生ゴミとバイオチップとの攪拌を行う。
【０００３】
そして、生ゴミ投入時の攪拌により生ゴミの表面にバイオチップを付着接触させ、このバイオチップに住み着いている微生物が生ゴミに取りついて、発酵等により分解するもので、混合後には好気性細菌の働きが活性化し、その後の静置状態では嫌気性細菌による分解を行って生ゴミを主にガスと水とに分解して消滅処理するもので、所定時間毎に攪拌と静置とを繰り返して投入された生ゴミの殆どを１日程度で消滅させるものである。
【０００４】
また、上記消滅処理においては、バイオチップの菌は１０℃以上、好ましくは２０℃以上の温度環境でないと活性が不十分で、発酵、分解作用が活発に行われない。外気温度が上記活性温度より低い寒冷地では、バイオチップを加熱することが必要となる。なお、発酵が活発に行われると、発酵熱が発生して昇温するため、加熱は不要である。
【０００５】
上記のような生ゴミ処理機における加熱手段としては、温風を生成して処理槽の上部空間に配置した温風パイプの小穴より、処理槽に収容したバイオチップの表面に向けて温風を吹き付けながら、このバイオチップを生ゴミと共に攪拌するようにしたものが、特開２００１−１４９９０４に開示されている。
【０００６】
【発明が解決しようとする課題】
しかしながら、上記のような温風による加熱手段では、バイオチップによる生ゴミの発酵・分解時に必要とされるエアー（酸素）の供給と共用できる点で好適ではあるが、温風加熱だけでは時間がかかり、処理槽全体が冷えている場合には、活性温度に達するまでに長時間を要して１日当たりの生ゴミの消滅が設定量だけ行えずに残って、処理能力が低下する問題を有する。
【０００７】
つまり、温風加熱は伝熱効率が低いと共に、処理槽に吹き込まれた温風の一部は排気されて熱効率が低下するものであり、また、生ゴミは水分が多くて熱容量が大きく、生ゴミ処理量が比較的大きな処理機では、さらに大きな加熱能力が要求される。
【０００８】
特に、バイオチップおよび生ゴミを収容する処理槽の底面に底部開口が設けられ、ケーシングの底部にも開口が設けられ、生ゴミ処理機が土の上に設置されて処理槽内のバイオチップが底部開口より下部に充填されて土と接触するように、底部開放型で屋外設置式とされた生ゴミ処理機では、冬期に極低温となる環境に設置された際には、処理槽の全体が低温状態となって早期の昇温が行われないと処理能力が大幅に低下し、季節により処理能力が変動する問題を有する。
【０００９】
そこで、本発明はこの点に鑑み、底部開放型で屋外設置式のものであっても良好な加熱により早期に活性温度へ昇温できて処理能力を維持できるようにした消滅型の生ゴミ処理機を提供することを目的とする。
【００１０】
【課題を解決するための手段】
本発明の生ゴミ処理機は、バイオチップを収容する処理槽をケーシング内に備え、該処理槽の底面には底部開口が設けられ、ケーシングの底面に形成された開口を通してバイオチップが土と接触するように設置してなり、投入された生ゴミを分解消滅させる生ゴミ処理機において、
前記処理槽の横置き円筒状のドラム部に加熱手段を設置してなり、該加熱手段は、ドラム部の底面の両端部側に形成した前記底部開口の間の外面に設けた底部ヒーターと、前記底部開口より前後の円筒外面にドラム部の略半分の高さまで幅全体に設けた前部ヒーターおよび後部ヒーターと、ドラム部の両側面のフランジ板の略半分の高さまで設けた左右側面ヒーターとを備え、前記バイオチップの活性温度に達するまで前記各ヒーターによってドラム部を加熱することを特徴とするものである。
【００１１】
【発明の効果】
以上のような本発明によれば、処理槽の底面の両端部側に底部開口を形成したドラム部に対し、その底面中央部の外面に底部ヒーターを、底部開口より前後の円筒外面に前部ヒーターおよび後部ヒーターを、両側面のフランジ板の略半分の高さまで左右側面ヒーターをそれぞれ設置し、外気温度が低い場合にバイオチップの活性温度に達するまで前記各ヒーターによってドラム部を加熱するようにしたことにより、効率よく加熱することができ、バイオチップの活性を早期に得て良好な生ゴミ処理を季節による温度変化に影響されることなく良好に維持することができる。
【００１２】
特に、処理槽の底面部に全体的に底部穴を開口すると、水分の流下、土壌との親和性等の点で有利となる反面、この底部からの加熱を行うことができず側面からの加熱だけでは、屋外設置における厳しい冷間時での昇温作用が不足し、活性温度に達するまでに長時間を要し、１日当たりの処理能力の低下を招き、季節による処理量の変動が大きくなるが、本発明では、底面からの加熱も行うようしたことにより加熱能力を高めて季節変動が改善できた。
【００１３】
【発明の実施の形態】
以下、図面を参照して本発明の実施の形態を詳細に説明する。図１はこの実施形態の生ゴミ処理機の正面図、図２はその側面図、図３は図１のＸ−Ｘ断面図、図４は処理槽の底面図、図５は処理槽の背面図、図６は処理槽の左側面図である。
【００１４】
本実施形態の生ゴミ処理機１（消滅機）は、ボックス状のケーシング２内に処理槽３が設置され、この処理槽３内には駆動手段５（図２参照）によって回転する攪拌羽根４（図３参照）が設置され、外面には加熱手段６が配設され、処理槽３に収容したバイオチップＢに対し投入された生ゴミＡを加熱しつつ攪拌混合し、生ゴミＡを消滅処理するものである。
【００１５】
上記処理槽３は、断面が円形で横置き円筒状のドラム部３１と、該ドラム部３１の斜め上部に角筒状に延びる投入口部３２とを備えてなる。この処理槽３のドラム部３１の底部が、両側の支持部３３，３４によってケーシング２の底壁２１に支持され、投入口部３２の上端部がケーシング２の上壁２２に開口された投入口２３に連結されている（図３参照）。このケーシング２の投入口２３は、窓部を有する投入口蓋２４によって開閉される。
【００１６】
処理槽３のドラム部３１の両端部近傍における前記支持部３３，３４で保持された底面には、図３および図４に示すように、それぞれ底部開口３１ａを有し、支持部３３，３４はこの底部開口３１ａを囲む支柱状に形成され、この支持部３３，３４の底面も開口し、金網３５（エキスパンドメタル）が設置されてなる。そして、本実施形態の生ゴミ処理機１は、土（地面）の上に設置して、処理槽３に収容したバイオチップＢが底部開口３１ａから支持部３３，３４内に充填され、土と接触するようになっている。
【００１７】
前記処理槽３に設置される攪拌羽根４は、処理槽３のドラム部３１の中心部を横方向に貫通する回転軸４１と、この回転軸４１に立設された支柱部材４２と、支柱部材４２の先端部を連結する螺旋部材４３とを備えてなる。回転軸４１の両端部は、ドラム部３１の両側フランジ板３１ｂ，３１ｃより外側に突出し、この両端軸部がフランジ板３１ｂ，３１ｃの外面に設置されたベアリングユニット５５に回転可能に支承される。
【００１８】
駆動手段５（図２）は、回転軸４１の一端部にスプロケット５１が固着され、このスプロケット５１と駆動モータ５２の駆動ギヤ５３との間にチェーン５４が掛けられ、ケーシング２の底壁２１に設置された駆動モータ５２の駆動によって回転軸４１すなわち攪拌羽根４を回転駆動する。
【００１９】
そして、前記処理槽３のドラム部３１の外面に加熱手段６を設置し、冷間時の加熱を行うようになっている。この加熱手段６は、底部ヒーター６１、前部ヒーター６２、後部ヒーター６３、左側面ヒーター６４（図６）、右側面ヒーター６５（図２）を備えてなる。
【００２０】
底部ヒーター６１は、ドラム部３１の底部両端の底部開口３１ａの間における底面中央部の外面に設置している。前部ヒーター６２および後部ヒーター６３は、底部開口３１ａより前後のドラム部３１の円筒外面に略半分の高さまで、ドラム部３１の幅の全体に亘って設置している。左右側面ヒーター６４，６５は、ドラム部３１の両側面のフランジ板３１ｂ，３１ｃの外面の略半分の高さまで扇状に設置している。
【００２１】
各ヒーター６１〜６５には不図示の電源部より電力が供給され、作動制御が行われる。つまり、外気温度が低い場合に、バイオチップＢが活性温度に達するまで各ヒーター６１〜６５によってドラム部３１を加熱するものである。また、バイオチップＢによる生ゴミＡの発酵が活発となると、その発酵熱によって温度が維持されることにより、各ヒーター６１〜６５による加熱を停止する。
【００２２】
なお、毎日定期的に生ゴミＡが投入され、定常的に消滅処理を継続する場合には、生ゴミＡの投入に応じてヒーター６１〜６５による加熱を開始するのではなく、温度が所定温度より低下した際にヒーター６１〜６５による予熱（保温）を行い、次の生ゴミ投入時にはバイオチップＢは既に活性温度となっているように制御してもよい。またはタイマーで制御してもよい。
【００２３】
なお、図１に示すように、ケーシング２の前面には内部に操作パネル、表示盤が設置される左右の制御箱扉２５，２６が設けられ、一方の側面（図２）には、攪拌羽根４の駆動手段５などのための点検扉２７が設けられ、上部には排気ファン２８が設置されている。排気ファン２８は処理槽３の内部よりエアーを吸引排出する。この排気に伴う処理槽３内へのエアーの導入は、ケーシング２に形成された開口部２９からケーシング２内に吸引され、処理槽３内へは上部より導入される。
【００２４】
上記のような実施形態の生ゴミ処理機１によれば、処理槽３のドラム部３１の外面に底部ヒーター６１、前部ヒーター６２、後部ヒーター６３、左右側面ヒーター６４，６５による加熱手段６を設置し、温風加熱に比べて大きな熱量によって処理槽３の加熱を行うことができ、底部開放型で屋外設置式のものであっても良好な加熱により早期に活性温度へ昇温でき、バイオチップＢの性能を十分に発揮させて所望の能力で生ゴミＡの消滅処理が行える。
【００２５】
特に、処理槽３の底面両側に底部開口３１ａを設け、水分の流下、バイオチップＢと土との親和性を十分に確保すると共に、中央部に底部ヒーター６１を設置して、処理槽３内に収容されているバイオチップＢを底部に加えて周囲を囲むように配置したヒーター６２〜６５によって有効に加熱することができ、屋外設置における厳しい冷間時においても早期に活性温度に昇温させ、季節による処理量の変動を抑制して処理能力を通年維持でき、信頼性を高めることができる。
【図面の簡単な説明】
【図１】本発明の一つの実施形態にかかる生ゴミ処理機の正面図
【図２】図１の側面図
【図３】図１のＸ−Ｘ断面図
【図４】処理槽の底面図
【図５】処理槽の背面図
【図６】処理槽の左側面図
【符号の説明】
１　　生ゴミ処理機
２　　ケーシング
３　　処理槽
４　　攪拌羽根
６　　加熱手段
２１　　底壁
３１　　ドラム部
３１ａ　　底部開口
３１ｂ，３１ｃ　　フランジ板
３２　　投入口部
３３，３４　　支持部
３５　　金網
６１　　底部ヒーター
６２　　前部ヒーター
６３　　後部ヒーター
６４，６５　　側面ヒーター
Ａ　　生ゴミ
Ｂ　　バイオチップ
【図１】
2004033849.tif 000003
【図２】
2004033849.tif 000004
【図３】
2004033849.tif 000005
【図４】
2004033849.tif 000006
【図５】
2004033849.tif 000007
【図６】
2004033849.tif 000008